(57)【特許請求の範囲】
【請求項１】
内容物が収容される容器本体と、
容器本体の口部に着脱自在に装着される中蓋と、
前記中蓋に着脱自在に配設された取出し具と、を備える中蓋付き容器であって、
前記中蓋は、天壁部と、天壁部から下方に向けて突出する脚部と、を備え、
前記天壁部には、前記取出し具が収容される収容凹部が形成され、
前記収容凹部の底壁部は、前記取出し具が載置される固定支持部と、前記取出し具が載置されるとともに、前記固定支持部に対して下方に向けて変位自在に形成された変位支持部と、を備えることを特徴とする中蓋付き容器。
【請求項２】
前記固定支持部は、前記底壁部における外周部に配置された環状に形成され、前記取出し具における長手方向の両端部を支持し、
前記変位支持部は、前記固定支持部の内側に配置されるとともに、前記取出し具における長手方向の中間部を支持する中間支持部と、前記固定支持部の内周縁と前記中間支持部の外周縁とを連結するとともに、弾性変形可能に形成された弾性部と、を備えることを特徴とする請求項１記載の中蓋付き容器。
【請求項３】
前記弾性部は、前記固定支持部及び前記中間支持部と同軸に配置された蛇腹状に形成されていることを特徴とする請求項２記載の中蓋付き容器。
【請求項４】
前記脚部は、前記天壁部から下方に向けて突出する脚片と、脚片の下端部を径方向の外側から囲繞する環状の接地部と、を備えることを特徴とする請求項１〜３いずれか一項に記載の中蓋付き容器。
【発明の詳細な説明】
【技術分野】
【０００１】
本発明は、中蓋付き容器に関するものである。
【背景技術】
【０００２】
従来から、内容物が収容される容器本体と、容器本体の口部に着脱自在に装着される中蓋と、中蓋に着脱自在に配設された取出し具と、を備える中蓋付き容器が知られている（特許文献１参照）。
【先行技術文献】
【特許文献】
【０００３】
【特許文献１】特開２０１２−２４６０１３号公報
【発明の概要】
【発明が解決しようとする課題】
【０００４】
しかしながら、従来の中蓋付き容器では、内容物を取り出すために、中蓋を載置部に載置する場合に、中蓋を天壁部の下面が上方を向くように裏返しの姿勢にする必要がある。この場合、中蓋を容器本体の口部に再度装着するときに、中蓋を把持しにくいばかりでなく、中蓋の天壁部の下面に対して、埃などが付着したり、付着していた内容物が周囲に付着したりするおそれがある。
また、中蓋を載置部に載置した状態で取出し具を中蓋から取り外しにくいという問題があった。
【０００５】
本発明は、上述する問題点に鑑みてなされたもので、中蓋の天壁部の下面に対して埃などが付着したり、付着していた内容物が周囲に付着したりするのを抑えることができるとともに、取出し具を中蓋から容易に取り外すことができる中蓋付き容器を提供することを目的とする。
【課題を解決するための手段】
【０００６】
本発明に係る中蓋付き容器は、内容物が収容される容器本体と、容器本体の口部に着脱自在に装着される中蓋と、上記中蓋に着脱自在に配設された取出し具と、を備える中蓋付き容器であって、上記中蓋は、天壁部と、天壁部から下方に向けて突出する脚部と、を備え、上記天壁部には、上記取出し具が収容される収容凹部が形成され、
上記収容凹部の底壁部は、上記取出し具が載置される固定支持部と、上記取出し具が載置されるとともに、上記固定支持部に対して下方に向けて変位自在に形成された変位支持部と、を備えることを特徴とする。
【０００７】
本発明に係る中蓋付き容器によれば、中蓋に、天壁部から下方に向けて突出する脚部が備えられているので、容器本体内の内容物を取出すに際し、容器本体の口部から離脱した中蓋を、脚部を載置面に接地させることにより、天壁部の下面を下方に向けた状態で自立させることができる。これにより、天壁部の下面に付着した内容物が載置面に付着したり、載置面上の埃などが天壁部の下面に付着したりするのを抑制することができるとともに、中蓋を容器本体の口部に再度装着するときに、中蓋を容易に把持することができる。また、中蓋を自立させた状態で取出し具を中蓋から取り外すことが可能になり、優れた操作性を具備させることができる。
さらに、本発明に係る中蓋付き容器によれば、変位支持部が固定支持部に対して下方に変位したときに、変位支持部と取出し具との間に容器軸方向の隙間が形成されるので、この隙間に指を差込み易くなり、容器本体の口部から離脱した中蓋を自立させることが可能になることと相俟って、取出し具を容易に摘まむことができる。
【０００８】
また、本発明に係る中蓋付き容器では、上記固定支持部は、上記底壁部における外周部に配置された環状に形成され、上記取出し具における長手方向の両端部を支持し、上記変位支持部は、上記固定支持部の内側に配置されるとともに、上記取出し具における長手方向の中間部を支持する中間支持部と、上記固定支持部の内周縁と上記中間支持部の外周縁とを連結するとともに、弾性変形可能に形成された弾性部と、を備えることが好ましい。
【０００９】
これにより、中間支持部が弾性部を介して固定支持部に接続され、中間支持部を容易に下方に変位させることができる。このため、変位支持部と取出し具との間に容器軸方向の隙間を容易に形成することができ、取出し具の取り外し動作をさらに容易に行うことができる。
また、中間支持部を下方に変位させていないときには、中間支持部を取出し具に下方から当接させることにより、取出し具を安定して支持することができる。
【００１０】
また、本発明に係る中蓋付き容器では、上記弾性部は、上記固定支持部及び上記中間支持部と同軸に配置された蛇腹状に形成されていることが好ましい。
【００１１】
これにより、弾性部が例えば平板である場合と比較して、弾性部の表面積を広く確保することができ、中間支持部をより大きく下方に変位させることが可能となる。このため、中間支持部を変位させたときに、中間支持部と取出し具との隙間をより大きくすることができ、さらに優れた操作性を具備させることができる。
【００１２】
また、本発明に係る中蓋付き容器では、前記脚部は、前記天壁部から下方に向けて突出する脚片と、脚片の下端部を径方向の外側から囲繞する環状の接地部と、を備えることが好ましい。
【００１３】
これにより、脚部が、環状の接地部を備えているので、中蓋を載置面に確実に安定して接地させることができる。
また、脚片が弾性変形するのを環状の接地部によって抑制することが可能になり、中蓋を容器本体の口部に装着する際に、脚片がぐらつくのを防ぐことが可能になり、この装着を容易に行うことができる。
【発明の効果】
【００１４】
本発明に係る中蓋付き容器よれば、天壁部の下面に付着した内容物が載置面に付着したり、載置面上の埃などが天壁部の下面に付着したりするのを抑制することができ、さらに載置面上の中蓋を容易に把持することができる。
また、中蓋を自立させた状態で取出し具を中蓋から取り外すことが可能になり、優れた操作性を具備させることができる。
また、変位支持部が固定支持部に対して下方に変位したときに、変位支持部と取出し具との間に容器軸方向の隙間が形成され、取出し具を容易に摘まむことができる。
したがって、本発明に係る中蓋付き容器によれば、中蓋の天壁部の下面に対して埃などが付着したり、付着していた内容物が周囲に付着したりするのを抑えることができるとともに、取出し具を中蓋から容易に取り外すことができる。
【図面の簡単な説明】
【００１５】
【図１】本発明の第１実施形態に係る中蓋付き容器の縦断面図である。
【図２】図１の中蓋付き容器が備える中蓋の全体図であり、（ａ）が平面図であり、（ｂ）が縦断面図である。
【図３】図１の中蓋付き容器が備える中蓋に対して取出し具が載置された状態を示す平面図であり、（ａ）が中央位置に取出し具が配置された状態を示し、（ｂ）が偏在位置に取出し具が配置された状態を示している。
【図４】中央位置に配置された取出し具を図１の中蓋付き容器の中蓋から取り外す様子を示す縦断面図であり、（ａ）が変位支持部を下方に向けて変位させる前の様子を示し、（ｂ）が変位支持部を下方に向けて変位させた後の様子を示す。
【図５】偏在位置に配置された取出し具を図１の中蓋付き容器の中蓋から取り外す様子を示す縦断面図であり、（ａ）が変位支持部を下方に向けて変位させる前の様子を示し、（ｂ）が変位支持部を下方に向けて変位させた後の様子を示す。
【図６】本発明の第１実施形態に係る中蓋付き容器が備える中蓋の全体図であり、（ａ）が平面図であり、（ｂ）が縦断面図である。
【図７】中央位置に配置された取出し具を図６の中蓋から取り外す様子を示す縦断面図であり、（ａ）が変位支持部を下方に向けて変位させる前の様子を示し、（ｂ）が変位支持部を下方に向けて変位させた後の様子を示す。
【図８】偏在位置に配置された取出し具を図６の中蓋から取り外す様子を示す縦断面図であり、（ａ）が変位支持部を下方に向けて変位させる前の様子を示し、（ｂ）が変位支持部を下方に向けて変位させた後の様子を示す。
【発明を実施するための形態】
【００１６】
以下、本発明の一実施形態にかかる中蓋付き容器を、図面に基づいて説明する。なお、以下の説明に用いる各図面では、各部材を認識可能な大きさとするために縮尺を適宜変更している。
【００１７】
（第１実施形態）
以下、本発明に係る実施形態の中蓋付き容器を、図面を参照して説明する。
図１に示すように、中蓋付き容器１は、内容物が収容される容器本体１０と、容器本体１０の口部１０ａに着脱自在に装着される中蓋２と、中蓋２に着脱自在に配設されたスパチュラ３（取出し具）と、を備えている。また、中蓋付き容器１には、中蓋２を外側から覆うとともに、容器本体１０に離脱自在に装着された有頂筒状のキャップ４が設けられている。
【００１８】
ここで本実施形態では、容器本体１０が有底筒状に形成され、その横断面の中央を通る中心軸線を容器軸Ｏといい、容器軸Ｏ方向に沿って、容器本体１０の口部１０ａ側を上方といい、容器本体１０の底部１０ｂ側を下方という。また、容器軸Ｏ方向から見た平面視において、容器軸Ｏに直交する方向を径方向といい、容器軸Ｏ回りに周回する方向を周方向という。
【００１９】
容器本体１０は、内容物が収容される内容器１１と、内容器１１が内装される外容器１２と、を備えている。内容器１１は、上端開口縁から径方向の外側に向けて突出するとともに、外容器１２の後述する上筒部１４ｂの外側を向く外周面に、径方向の外側からアンダーカット係合される係合筒１１ｄが設けられている。また、内容器１１は、内容器底部１１ｂにおいて、下方に向けて突出する嵌合凸部１１ｅが設けられていて、外容器１２の窓孔１３の内面に嵌合されている。
【００２０】
外容器１２は、外容器口部１４と、外径が外容器口部１４より大径に形成された胴部１５と、を備えている。外容器１２の外容器口部１４には、雄ネジ部１４ａが形成されている。また、外容器１２の外容器口部１４には、容器軸Ｏ方向に延びるとともに、雄ネジ部１４ａを周方向に分断する縦溝１６が、周方向に間隔をあけて複数形成されている。これらの縦溝１６の上端開口部は、上方に向かうに従い漸次、縦溝１６における溝幅方向の外側に向けて延びる突曲線状に形成されている。また、縦溝１６の溝底は、外容器口部１４の表面と面一とされている。このような縦溝１６には、中蓋２の脚片２２ａが差し込まれる。
【００２１】
また、外容器１２の外容器口部１４の上端開口縁には、内径が外容器口部１４の内径と同等で、かつ外径が外容器口部１４の外径より小径の上筒部１４ｂが上方に向けて突設されている。
また、外容器１２の外容器底部１２ａには、内容器１１の外容器底部１１ｂを外部に露呈する窓孔１３が形成されている。窓孔１３は、容器軸Ｏと同軸に配置されている。
【００２２】
また、内容器１１は、外容器１２内に対して着脱自在に装着されている。これらの内容器１１の上端部の外周面及び外容器１２の上端部の内周面には、互いが周方向に係合する係合部が形成されており、これらの係合部が互いに係合することにより、外容器１２及び内容器１１の周方向の相対回転が防止されている。
【００２３】
キャップ４は、頂壁部４１と、頂壁部４１の外周縁から下方に向けて延びるとともに外容器１２に螺着される螺着筒４２と、を備えている。螺着筒４２の内周面には、外容器１２の雄ネジ部１４ａに螺合される雌ネジ部４２ａが形成されている。螺着筒４２の下端には、下筒部４４が突設されている。
また、螺着筒４２内には、円盤状のパッキン４３が嵌合されている。このパッキン４３は、中蓋２の天壁部２１の外周部２１ｂに対して密着してシールされ、収容凹部２１ａ内及び内容器１１の内部を密封している。
そして、外容器１２の縦溝１６に中蓋２の脚片２２ａが差し込まれた状態で中蓋２が容器本体１０に対して装着され、キャップ４の螺着筒４２が螺着される。このときキャップ４の下筒部４４によって中蓋２の後述する接地部２２ｂが径方向の外側から囲繞される。
【００２４】
中蓋２は、天壁部２１と、天壁部２１から下方に向けて突出する脚部２２とを備えている。天壁部２１は、上面視形状が略円形状の部位であり、スパチュラ３が収容される収容凹部２１ａを有している。この収容凹部２１ａは、天壁部２１の外周部２１ｂを除く全域にわたって形成されており、上面視で円形状を呈する。この収容凹部２１ａは、中蓋２が容器本体１０に対して装着された際には、容器本体１０の口部１０ａ内に嵌合される。また、天壁部２１の外周部２１ｂは、中蓋２が容器本体１０に対して装着された際には、容器本体１０の口部１０ａの上端開口縁に上方から当接するように配置される。また、天壁部２１の外周部２１ｂには全周にわたって、キャップ４のパッキン４３（図１参照）に圧接される環状突起２１ｃが形成されている。
【００２５】
収容凹部２１ａは、底壁部２３と、側壁部２４とを有している。底壁部２３は、天壁部２１の外周部２１ｂよりも下方に配置されており、収容凹部２１ａに収容されたスパチュラ３を下方から支持する。側壁部２４は、底壁部２３と外周部２１ｂとを接続する部位であり、底壁部２３の外縁に沿って立設されている。
【００２６】
底壁部２３は、固定支持部２３ａと、変位支持部２３ｂとを有している。固定支持部２３ａは、底壁部２３の外周部に配置された環状の部位であり、変位支持部２３ｂを囲うように設置されるとともに側壁部２４の下端に接続されている。この固定支持部２３ａは、利用者が上方から押圧した場合であっても容易に変形しない厚み寸法に設定されている。また、図３に示すように、固定支持部２３ａの外周縁の直径（以下、外径Ｌａと称する）は、スパチュラ３の長手方向の長さ寸法Ｌｓよりも大きく設定されている。また、固定支持部２３ａの内周縁の直径（以下、内径Ｌｂと称する）は、スパチュラ３の長さ寸法Ｌｓよりも小さく設定されている。
【００２７】
このように固定支持部２３ａの外径Ｌａがスパチュラ３の長さ寸法Ｌｓよりも大きく設定されているため、スパチュラ３の全体を収容凹部２１ａに収容することができる。また、固定支持部２３ａの内径Ｌｂがスパチュラ３の長さ寸法Ｌｓよりも小さく設定されることにより、収容凹部２１ａに収容されたスパチュラ３の長手方向の両端部は、常に固定支持部２３ａによって下方から支持される。つまり、図３（ａ）に示すように、スパチュラ３が容器軸Ｏを通過するような位置（以下、中央位置と称する）に配置された場合であっても、図３（ｂ）に示すように、スパチュラ３が長手方向の両端部が収容凹部２１ａに当接するように容器軸Ｏに対して変位した位置（以下、偏在位置と称する）に配置された場合であっても、常に固定支持部２３ａの両端が固定支持部２３ａに当接される。
【００２８】
変位支持部２３ｂは、中間支持部２３ｃと、蛇腹弾性部２３ｄ（弾性部）とを備えている。中間支持部２３ｃは、固定支持部２３ａと略同一の厚さ寸法とされた円板状の部位であり、中蓋２が容器本体１０に装着されたときには、容器軸Ｏと同心状に配置される。この中間支持部２３ｃは、収容凹部２１ａに収容されたスパチュラ３の長手方向の中央部を下方から支持する部位である。なお、中間支持部２３ｃの直径は、図３（ｂ）に示すように、偏在位置に配置されたスパチュラ３の少なくとも一部が平面視において中間支持部２３ｃと重なるように設定されている。これによって、スパチュラ３の位置に関わらず、中間支持部２３ｃがスパチュラ３の中央部を下方から支持することができる。
【００２９】
蛇腹弾性部２３ｄは、固定支持部２３ａの内周縁と中間支持部２３ｃの外周縁とを連結する弾性変形可能な部位である。この蛇腹弾性部２３ｄは、固定支持部２３ａ及び中間支持部２３ｃよりも薄肉化されるとともに、固定支持部２３ａ及び中間支持部２３ｃと同軸に配置された蛇腹状に形成された部位である。この蛇腹弾性部２３ｄは、使用者の指等によって上方から押圧されることによって、下方に向けて変位自在とされている。このような蛇腹弾性部２３ｄは、自らが上方から押圧された場合には、自らが下方に突出するように変形し、中間支持部２３ｃが上方から押圧された場合にも、同様に下方に突出するように変形する。なお、蛇腹弾性部２３ｄは、上方から押圧されていない場合には、中間支持部２３ｃを固定支持部２３ａと同一の高さに保持している。
【００３０】
このような変位支持部２３ｂは、中間支持部２３ｃ自体は変形しないものの、この中間支持部２３ｃが変形自在な蛇腹弾性部２３ｄで支持されることによって、全体として固定支持部２３ａよりも下方に向けて変位可能とされている。
【００３１】
脚部２２は、天壁部２１の外周縁から下方に向けて突出する脚片２２ａと、脚片２２ａの下端部を径方向の外側から囲繞する環状の接地部２２ｂと、脚片２２ａと接地部２２ｂとを連結する連結部２２ｃと、を備えている。
接地部２２ｂは容器軸Ｏと同軸に配置された環状に形成されている。接地部２２ｂの内径は、雄ネジ部１４ａの外径より大きくなっている。接地部２２ｂの外径は、外容器１２の胴部１５の外径より小さくなっている。接地部２２ｂはキャップ４により径方向の外側から囲繞されている。
【００３２】
このような構成の本実施形態の中蓋付き容器１から内容物を取り出す場合には、まずキャップ４を容器本体１０から取り外して、中蓋２を露出させる。次に、容器本体１０から中蓋２を上方に持ち上げ、中蓋２の姿勢をそのまま維持した状態で載置面に載置する。このとき、中蓋２が備える脚部２２の接地部２２ｂが載置面に当接することで、中蓋２は自立する。その後、スパチュラ３を収容凹部２１ａから取り出し、スパチュラ３によって容器本体１０の内部の内容物をすくい上げることにより取り出す。なお、中蓋付き容器１を片付ける場合には、スパチュラ３を収容凹部２１ａに載置することにより、スパチュラ３を中蓋２に対して取り付け、中蓋２を容器本体１０に装着し、さらにキャップ４を容器本体１０に螺合させる。
【００３３】
続いて、スパチュラ３を収容凹部２１ａから取り出すときの動作について、図４及び図５を参照してより詳しく説明する。
【００３４】
スパチュラ３が中央位置に配置されている場合には、利用者は、自らの指で中間支持部２３ｃを下方に向けて押し下げる。例えば、図４（ａ）に示すように、利用者が自らの親指と人差し指との間にスパチュラ３が位置するように中間支持部２３ｃを下方に向けて押し下げると、図４（ｂ）に示すように、蛇腹状の蛇腹弾性部２３ｄが下方に向けての延びることにより、中間支持部２３ｃが固定支持部２３ａに対して下方に変位する。
【００３５】
このとき、スパチュラ３の両端部は固定支持部２３ａによって下方から支持されているため、中間支持部２３ｃが下方へ変位しても、スパチュラ３が下方に移動されることはない。この結果、図４（ｂ）に示すように、スパチュラ３と中間支持部２３ｃとの間に隙間Ｓが形成され、利用者が容易にスパチュラ３を把持することができる。
【００３６】
また、スパチュラ３が偏在位置に配置されている場合にも、利用者が、自らの指で中間支持部２３ｃを下方に向けて押し下げる。例えば、図５（ａ）に示すように、利用者が自らの親指を固定支持部２３ａに当てるとともに、人差し指を中間支持部２３ｃに当て、人差し指により中間支持部２３ｃを下方に向けて押し下げる。これによって、図５（ｂ）に示すように、蛇腹状の蛇腹弾性部２３ｄが周方向の部位によって異なる量で下方に向けての延びることにより、中間支持部２３ｃが傾きながら下方に変位する。このような場合にも、図５（ｂ）に示すように、スパチュラ３と中間支持部２３ｃとの間に隙間Ｓが形成され、利用者が容易にスパチュラ３を把持することができる。
【００３７】
本実施形態に係る中蓋付き容器１によれば、中蓋２に、天壁部２１から下方に向けて突出する脚部２２が備えられているので、容器本体１０内の内容物を取出すに際し、容器本体１０の口部１０ａから離脱した中蓋２を、脚部２２を載置面に接地させることにより、天壁部２１の下面を下方に向けた状態で自立させることができる。これにより、天壁部２１の下面に付着した内容物が載置面に付着したり、載置面上の埃などが天壁部２１の下面に付着したりするのを抑制することができるとともに、中蓋２を容器本体１０の口部１０ａに再度装着するときに、中蓋２を容易に把持することができる。また、中蓋２を自立させた状態でスパチュラ３を中蓋２から取り外すことが可能になり、優れた操作性を具備させることができる。
さらに、本実施形態に係る中蓋付き容器１によれば、変位支持部２３ｂが固定支持部２３ａに対して下方に変位したときに、変位支持部２３ｂとスパチュラ３との間に容器軸Ｏ方向の隙間Ｓが形成されるので、この隙間Ｓに指を差込み易くなり、容器本体１０の口部１０ａから離脱した中蓋２を自立させることが可能になることと相俟って、スパチュラ３を容易に摘まむことができる。
【００３８】
また、本実施形態に係る中蓋付き容器１では、固定支持部２３ａは、底壁部２３における外周部に配置された環状に形成され、スパチュラ３における長手方向の両端部を支持し、変位支持部２３ｂは、固定支持部２３ａの内側に配置されるとともに、スパチュラ３における長手方向の中間部を支持する中間支持部２３ｃと、固定支持部２３ａの内周縁と中間支持部２３ｃの外周縁とを連結するとともに、弾性変形可能に形成された蛇腹弾性部２３ｄとを備える。これにより、中間支持部２３ｃが蛇腹弾性部２３ｄを介して固定支持部２３ａに接続され、中間支持部２３ｃを容易に下方に変位させることができる。このため、変位支持部２３ｂとスパチュラ３との間に容器軸Ｏ方向の隙間Ｓを容易に形成することができ、スパチュラ３の取り外し動作をさらに容易に行うことができる。
また、中間支持部２３ｃを下方に変位させていないときには、中間支持部２３ｃをスパチュラ３に下方から当接させることにより、スパチュラ３を安定して支持することができる。
【００３９】
また、本実施形態に係る中蓋付き容器１では、蛇腹状の弾性部（蛇腹弾性部２３ｄ）を備えている。これにより、弾性部が例えば平板である場合と比較して、弾性部の表面積を広く確保することができ、中間支持部２３ｃをより大きく下方に変位させることが可能となる。このため、中間支持部２３ｃを変位させたときに、中間支持部２３ｃとスパチュラ３との隙間Ｓをより大きくすることができ、さらに優れた操作性を具備させることができる。
【００４０】
また、本実施形態に係る中蓋付き容器１では、脚部２は、天壁部２１から下方に向けて突出する脚片２２ａと、脚片２２ａの下端部を径方向の外側から囲繞する環状の接地部２２ｂと、を備えている。このため、中蓋２を載置面に確実に安定して接地させることができる。また、脚片２２ａが弾性変形するのを環状の接地部２２ｂによって抑制することが可能になり、中蓋２を容器本体１０の口部１０ａに装着する際に、脚片２２ａがぐらつくのを防ぐことが可能になり、この装着を容易に行うことができる。
【００４１】
（第２実施形態）
続いて、本発明の第２実施形態に係る中蓋付き容器について説明する。なお、本実施形態において、上記第１実施形態と同様の部分については、その説明を省略あるいは簡略化する。なお、本実施形態に係る中蓋付き容器は、中蓋２の構成が異なる以外、他の構成は同一である。このため、中蓋２の説明のみを行う。
【００４２】
本実施形態においては、中蓋２は、図６に示すように、蛇腹弾性部２３ｄに換えて弾性変形可能な薄肉弾性部２３ｅ（弾性部）を備えている。この薄肉弾性部２３ｅは、固定支持部２３ａ及び中間支持部２３ｃよりも薄肉化され、上方から押圧されることにより傾動可能とされた部位である。このような薄肉弾性部２３ｅは、上方から利用者の指等で押圧されていない状態で、中間支持部２３ｃ側の内周縁が、固定支持部２３ａ側の外周縁よりも上方に位置するように傾斜されている。この結果、本実施形態においては、上方から利用者の指等で押圧されていない状態では、中間支持部２３ｃが固定支持部２３ａよりも上方に配置されている。これにより、中間支持部２３ｃの下方への移動量を容易に確保することができる。
【００４３】
このような本実施形態における中蓋２の収容凹部２１ａからスパチュラ３を取り出すときの動作について、図７及び図８を参照して説明する。
【００４４】
スパチュラ３が中央位置に配置されている場合には、利用者は、自らの指で中間支持部２３ｃを下方に向けて押し下げる。例えば、図７（ａ）に示すように、利用者が自らの親指と人差し指との間にスパチュラ３が位置するように中間支持部２３ｃを下方に向けて押し下げると、図７（ｂ）に示すように、薄肉弾性部２３ｅが内周縁を固定支持部２３ａよりも下方とするように傾動し、中間支持部２３ｃが固定支持部２３ａに対して下方に変位する。
【００４５】
このとき、スパチュラ３の両端部は固定支持部２３ａによって下方から支持されているため、中間支持部２３ｃが下方へ変位しても、スパチュラ３が下方に移動されることはない。この結果、図７（ｂ）に示すように、スパチュラ３と中間支持部２３ｃとの間に隙間Ｓが形成され、利用者が容易にスパチュラ３を把持することができる。
【００４６】
また、スパチュラ３が偏在位置に配置されている場合にも、利用者が、自らの指で中間支持部２３ｃを下方に向けて押し下げる。例えば、図８（ａ）に示すように、利用者が自らの親指を固定支持部２３ａに当てるとともに、人差し指を中間支持部２３ｃに当て、人差し指により中間支持部２３ｃを下方に向けて押し下げる。これによって、図８（ｂ）に示すように、薄肉弾性部２３ｅが周方向の部位によって異なる量で下方に向けて傾動され、中間支持部２３ｃが傾きながら下方に変位する。このような場合にも、図８（ｂ）に示すように、スパチュラ３と中間支持部２３ｃとの間に隙間Ｓが形成され、利用者が容易にスパチュラ３を把持することができる。
【００４７】
以上のような本実施形態に係る中蓋付き容器においても、中蓋付き容器１によれば、中蓋２に、天壁部２１から下方に向けて突出する脚部２２が備えられているので、容器本体１０内の内容物を取出すに際し、容器本体１０の口部１０ａから離脱した中蓋２を、脚部２２を載置面に接地させることにより、天壁部２１の下面を下方に向けた状態で自立させることができる。これにより、天壁部２１の下面に付着した内容物が載置面に付着したり、載置面上の埃などが天壁部２１の下面に付着したりするのを抑制することができるとともに、中蓋２を容器本体１０の口部１０ａに再度装着するときに、中蓋２を容易に把持することができる。また、中蓋２を自立させた状態でスパチュラ３を中蓋２から取り外すことが可能になり、優れた操作性を具備させることができる。
さらに、本実施形態に係る中蓋付き容器１によれば、変位支持部２３ｂが固定支持部２３ａに対して下方に変位したときに、変位支持部２３ｂとスパチュラ３との間に容器軸Ｏ方向の隙間Ｓが形成されるので、この隙間Ｓに指を差込み易くなり、容器本体１０の口部１０ａから離脱した中蓋２を自立させることが可能になることと相俟って、スパチュラ３を容易に摘まむことができる。
【００４８】
以上、本発明に係る中蓋付き容器の実施の形態について説明したが、本発明は上述の実施の形態に限定されるものではなく、その趣旨を逸脱しない範囲で適宜変更可能である。
例えば、上記実施形態において、変位支持部２３ｂが中間支持部２３ｃを備える構成を採用した。しかしながら、本発明はこれに限定されるものではなく、中間支持部２３ｃを備えず、変位支持部２３ｂが蛇腹弾性部２３ｄのみあるいは薄肉弾性部２３ｅのみからなる構成を採用することができる。
【００４９】
また、上記実施形態における中蓋２の脚片２２ａの数は一例であり、本発明はこれに限定されるものではない。例えば、脚片２２ａの数は、３つ程度に減少させることも可能である。ただし、中蓋２を自立させた場合の安定性を考慮し、脚片２２ａは、３つ以上であることが望ましい。
【００５０】
また、本実施形態においては、取出し具がスパチュラ３である構成について説明した。しかしながら、本発明はこれに限定されるものではなく、取出し具として刷毛やフォーク等を備える構成を採用することも可能である。
【符号の説明】
【００５１】
１  中蓋付き容器
２  中蓋
３  スパチュラ（取出し具）
１０  容器本体
１０ａ  口部
２１  天壁部
２１ａ  収容凹部
２２  脚部
２３  底壁部
２３ａ  固定支持部
２３ｂ  変位支持部
２３ｃ  中間支持部
２３ｄ  蛇腹弾性部（弾性部）
２３ｅ  薄肉弾性部（弾性部）
Ｏ  容器軸
Ｓ  隙間
【図１】
0006507080.tif 000002
【図２】
0006507080.tif 000003
【図３】
0006507080.tif 000004
【図４】
0006507080.tif 000005
【図５】
0006507080.tif 000006
【図６】
0006507080.tif 000007
【図７】
0006507080.tif 000008
【図８】
0006507080.tif 000009